(57)【要約】  【課題】ナビゲーション装置２０内の部品点数を減少させると共に、ナビゲーション装置２０内の部品が占めるスペースを少なくすることができるナビゲーションシステム１０を提供する。  【解決手段】本発明のナビゲーションシステム１０は、ナビゲーション装置２０から、映像、ＯＳＤ画像、および、映像と表示画像とを切り替えるための信号を表示装置３０へ送り、表示装置３０側で映像とＯＳＤ画像との画素毎の切り替えを行う。また、ナビゲーション装置２０は、映像およびＯＳＤ画像を表示装置３０へ送信する際に、ＲＧＢのそれぞれに８ビットを割り当て、ＲＧＢのそれぞれについて、映像に６ビット、ＯＳＤ画像に２ビットを割り当てる。【選択図】図１
2008089978.tif 000002
【特許請求の範囲】
【請求項１】
車両に搭載され、ナビゲーション装置および表示装置を備えるナビゲーションシステムであって、
前記ナビゲーション装置は、
前記表示装置に表示する映像を生成する描画ユニットと、
前記描画ユニットによって生成された映像に重畳させるＯＳＤ（オンスクリーンディスプレイ）画像を示すＯＳＤ画像信号を生成すると共に、当該映像を示す映像信号に含まれる同期信号に同期して当該映像と当該ＯＳＤ画像とを画素毎に切り替えるための切替信号を生成するＯＳＤ制御装置と
を有し、
前記ＯＳＤ制御装置は、
前記映像信号に含まれる同期信号に同期して、前記ＯＳＤ画像が表示されるべき画面内の画素の画素値をＲＧＢ各２ビットのＯＳＤ画像信号として出力すると共に、当該ＯＳＤ画像が表示されるべき画面内の画素が表示されるタイミングでアクティブとなる切替信号を前記表示装置へ出力するＯＳＤ制御部と、
３バイトのパラレルデータをシリアルデータに変換するＰＳ（パラレル−シリアル）変換部であって、ＲＧＢにそれぞれ１バイトを割り当て、ＲＧＢのそれぞれについて、前記映像信号に６ビット、前記ＯＳＤ画像信号に２ビットを割り当てた３バイトのパラレルデータをシリアルデータに変換して前記表示装置へ出力するＰＳ変換部と
を有し、
前記表示装置は、
前記ナビゲーション装置から送信されたシリアルデータを３バイトのパラレルデータに変換し、ＲＧＢのそれぞれについて、６ビットを前記映像信号の画素値として出力し、２ビットを前記ＯＳＤ画像信号の画素値としてそれぞれ出力するＳＰ（シリアル−パラレル）変換部と、
前記ナビゲーション装置から出力された切替信号がアクティブである場合に、前記ナビゲーション装置から出力されたＯＳＤ画像信号の画素値を出力し、
当該ＯＳＤ切替信号が非アクティブである場合に、前記ＳＰ変換部から出力された映像信号の画素値を出力する切替部と、
前記映像信号に含まれる同期信号に同期して、表示すべき画面内の位置に、前記切替部から出力された画素値の画素を表示する表示部と
を有することを特徴とするナビゲーションシステム。
【請求項２】
請求項１に記載のナビゲーションシステムであって、
前記ＰＳ変換部は、
ＲＧＢのそれぞれについて、映像信号に上位６ビット、ＯＳＤ画像信号に下位２ビットを割り当てた３バイトのパラレルデータをシリアルデータに変換し、
前記ＳＰ変換部は、
ＲＧＢのそれぞれについて、上位６ビットを映像信号の画素値として出力し、下位２ビットをＯＳＤ画像信号の画素値として出力すること
を特徴とするナビゲーションシステム。
【発明の詳細な説明】
【技術分野】
【０００１】
本発明は、映像に所定の画像を重畳させて表示するＯＳＤ（オンスクリーンディスプレイ）技術に関する。
【背景技術】
【０００２】
特許文献１には、入力された映像信号と、文字等の画像の信号とを、画素毎に、当該映像信号に同期して切り替えることにより、映像上に文字等の画像が重畳されて表示されるオンスクリーン表示技術について開示されている。
【０００３】
【特許文献１】特開２０００−２２４４７７号公報
【発明の開示】
【発明が解決しようとする課題】
【０００４】
ところで、車両に搭載され、ナビゲーション装置と表示装置とを有するナビゲーションシステムの中には、ナビゲーション装置と表示装置とがケーブル等で接続されて、別々の場所に配置されるものがある。このようなシステム構成において、表示装置にオンスクリーン表示を行う場合、ナビゲーションシステムの構成は、例えば図４のようになる。
【０００５】
従来のナビゲーションシステム７０は、ナビゲーション装置７１と表示装置７７とを備える。ナビゲーション装置７１は、描画ユニット７２、ＳＰ（シリアル−パラレル）変換部７３、ＯＳＤ制御部７４、切替部７５、およびＰＳ（パラレル−シリアル）変換部７６を有する。
【０００６】
描画ユニット７２は、ナビゲーション画面やテレビ映像等の画像をＲＧＢ各６ビットの映像データとして生成し、シリアルデータとして出力する。ＳＰ変換部７３は、描画ユニット７２から出力されたシリアルデータをＲＧＢ各６ビットのパラレルデータに変換する。また、ＳＰ変換部７３は、描画ユニット７２から出力された映像データに含まれる同期信号を抽出してＯＳＤ制御部７４およびＰＳ変換部７６に供給する。
【０００７】
ＯＳＤ制御部７４は、描画ユニット７２によって生成された映像に重畳させるＯＳＤ画像を画素毎にＲＧＢ各６ビットのデータとして保持しており、ＳＰ変換部７３から供給された同期信号に同期して、表示すべき画素の画素値を切替部７５に供給する。また、ＯＳＤ制御部７４は、ＳＰ変換部７３から供給された同期信号に同期して、ＯＳＤ画像を表示すべき画面内の画素においてアクティブとなる切替信号を生成して切替部７５へ出力する。
【０００８】
切替部７５は、ＲＧＢ毎に６ビット、合計１８個の切替回路を有し、ＯＳＤ制御部７４から入力された切替信号が非アクティブである場合に、描画ユニット７２によって生成されたＲＧＢ各６ビットの映像データを１８ビットのパラレルデータとしてＰＳ変換部７６へ出力する。また、切替部７５は、切替信号がアクティブである場合に、ＯＳＤ制御部７４によって生成されたＲＧＢ各６ビットのＯＳＤ画像データを１８ビットのパラレルデータとしてＰＳ変換部７６へ出力する。
【０００９】
ＰＳ変換部７６は、映像データに含まれる同期信号に同期して、切替部７５から出力された１８ビットのパラレルデータをシリアルデータに変換して表示装置７７へ出力する。
【００１０】
表示装置７７は、ＳＰ（シリアル−パラレル）変換部７８および表示部７９を有する。ＳＰ変換部７８は、ナビゲーション装置７１から出力されたシリアルデータを１８ビットのパラレルデータに変換し、ＲＧＢ各６ビットのデータとして出力する。また、ＳＰ変換部７８は、ナビゲーション装置７１から出力されたシリアルデータから同期信号を抽出して表示部７９に供給する。表示部７９は、ＳＰ変換部７８から出力されたＲＧＢデータを、ＳＰ変換部７８から供給された同期信号に同期して画素毎に表示する。
【００１１】
ところで、近年のナビゲーションシステムは多機能化が進み、装置に組み込まれる部品の数も多くなっている。しかし、ナビゲーション装置が配置されるダッシュボード内のスペースは規格化されており、部品点数が多くなったからといってナビゲーション装置の大きさを大きくすることはできない。そのため、ナビゲーション装置の部品点数を極力減らすことが求められる。
【００１２】
一方で、表示装置７７は、ナビゲーションシステムの多機能化に伴って、より多くの情報を表示できるように大画面化する傾向にあり、表示装置７７の大きさの制約はナビゲーション装置７１ほど厳しくない。そのため、例えば図４において、１８個もの切替回路を有している、比較的大きな部品である切替部７５を、表示装置７７に取り付けることができれば、ナビゲーション装置７１内部に他の部品を配置する余裕ができる。
【００１３】
しかし、単に切替部７５を表示装置７７内に配置し、ＳＰ変換部７３から出力される１８ビットのパラレルデータと、ＯＳＤ制御部７４から出力される１８ビットのパラレルデータとを、別々に表示装置７７へ出力するとすれば、それぞれにＰＳ変換部７６が必要になり、ナビゲーション装置７１内に他の部品を配置するためのスペースがそれほど広くならない場合がある。
【００１４】
本発明は上記事情を鑑みてなされたものであり、本発明の目的は、ナビゲーション装置内の部品点数を減少させると共に、ナビゲーション装置内の部品が占めるスペースを少なくすることにある。
【課題を解決するための手段】
【００１５】
上記課題を解決するために、本発明のナビゲーションシステムは、ナビゲーション装置から、映像、ＯＳＤ画像、および、映像と表示画像とを切り替えるための信号を表示装置へ送り、表示装置側で映像とＯＳＤ画像との画素毎の切り替えを行う。また、ナビゲーション装置は、映像およびＯＳＤ画像を送信する際に、ＲＧＢのそれぞれに８ビットを割り当て、ＲＧＢのそれぞれについて、映像に６ビット、ＯＳＤ画像に２ビットを割り当てる。
【００１６】
また、本発明は、例えば、車両に搭載され、ナビゲーション装置および表示装置を備えるナビゲーションシステムであって、ナビゲーション装置は、表示装置に表示する映像を生成する描画ユニットと、描画ユニットによって生成された映像に重畳させるＯＳＤ（オンスクリーンディスプレイ）画像を示すＯＳＤ画像信号を生成すると共に、当該映像を示す映像信号に含まれる同期信号に同期して当該映像と当該ＯＳＤ画像とを画素毎に切り替えるための切替信号を生成するＯＳＤ制御装置とを有し、ＯＳＤ制御装置は、映像信号に含まれる同期信号に同期して、ＯＳＤ画像が表示されるべき画面内の画素の画素値をＲＧＢ各２ビットのＯＳＤ画像信号として出力すると共に、当該ＯＳＤ画像が表示されるべき画面内の画素が表示されるタイミングでアクティブとなる切替信号を表示装置へ出力するＯＳＤ制御部と、３バイトのパラレルデータをシリアルデータに変換するＰＳ変換部であって、ＲＧＢにそれぞれ１バイトを割り当て、ＲＧＢのそれぞれについて、映像信号に６ビット、ＯＳＤ画像信号に２ビットを割り当てた３バイトのパラレルデータをシリアルデータに変換して表示装置へ出力するＰＳ変換部とを有し、表示装置は、ナビゲーション装置から送信されたシリアルデータを３バイトのパラレルデータに変換し、ＲＧＢのそれぞれについて、６ビットを映像信号の画素値として出力し、２ビットをＯＳＤ画像信号の画素値としてそれぞれ出力するＳＰ変換部と、ナビゲーション装置から出力された切替信号がアクティブである場合に、ＳＰ変換部から出力されたＯＳＤ画像信号の画素値を出力し、当該ＯＳＤ切替信号が非アクティブである場合に、ＳＰ変換部から出力された映像信号の画素値を出力する切替部と、映像信号に含まれる同期信号に同期して、表示すべき画面内の位置に、切替部から出力された画素値の画素を表示する表示部とを有することを特徴とするナビゲーションシステムを提供する。
【発明の効果】
【００１７】
本発明のナビゲーションシステムによれば、ナビゲーション装置内の部品点数を減少させると共に、ナビゲーション装置内の部品が占めるスペースを少なくすることができる。
【発明を実施するための最良の形態】
【００１８】
以下に、図面を参照しつつ、本発明の実施の形態について説明する。
【００１９】
図１は、本発明の一実施形態に係るナビゲーションシステム１０の構成を示すシステム構成図である。ナビゲーションシステム１０は、例えば車両等の移動体に搭載され、ナビゲーション装置２０および表示装置３０を備える。ナビゲーション装置２０と表示装置３０とはケーブル等で接続され、互いにデータの送受信が可能である。なお、本実施形態において、ナビゲーションシステム１０は、１つの表示装置３０を有するが、他の形態として、ナビゲーションシステム１０は、複数の表示装置３０を有していてもよい。
【００２０】
ナビゲーション装置２０は、描画ユニット２１、ＳＰ変換部２２、ＯＳＤ制御部２３、およびＰＳ変換部２４を有する。描画ユニット２１は、ナビゲーションに使用される画面やテレビ映像等の映像データをＲＧＢ形式で生成し、生成した映像データをシリアルデータとして出力する。描画ユニット２１によって生成される映像データは、画素毎にＲＧＢ（赤を示すデータ、緑を示すデータ、青を示すデータ）各６ビットの画素値を有する。
【００２１】
ＳＰ変換部２２は、描画ユニット２１から出力されたシリアルデータをＲＧＢ各６ビット毎に１８ビットのパラレルデータに変換する。また、ＳＰ変換部２２は、描画ユニット２１から出力された映像データに含まれる同期信号を抽出してＯＳＤ制御部２３およびＰＳ変換部２４に供給する。
【００２２】
ＯＳＤ制御部２３は、描画ユニット２１によって生成された映像に重畳させるＯＳＤ画像データを保持しており、ＳＰ変換部２２から供給された同期信号に同期して、ＯＳＤ画像内の表示すべき画素の画素値を、ＲＧＢ各２ビットで出力する。また、ＯＳＤ制御部２３は、ＳＰ変換部２２から供給された同期信号に同期して、ＯＳＤ画像を表示すべき画面内の画素においてアクティブとなる切替信号を生成して表示装置３０へ出力する。
【００２３】
ここで、ＯＳＤ画像は、通常、表示装置３０の明るさや色合い等を設定するための設定情報の表示に用いられる場合が多い。そのため、ＯＳＤ画像の色は、背景の映像と見分けがつくような色であれば、たとえ１色であっても目的を達成することができる。なお、本実施形態では、ＯＳＤ画像データの画素値としてＲＧＢ各２ビットを用い、ＯＳＤ画像として６４色を用いることができる。
【００２４】
ＰＳ変換部２４は、ＳＰ変換部２２によって変換されたＲＧＢ各６ビットの映像データのパラレルデータを受け取り、ＯＳＤ制御部２３から出力されたＲＧＢ各２ビットのＯＳＤ画像データのパラレルデータを受け取る。そして、ＰＳ変換部２４は、図２（ａ）に示すように、ＲＧＢのそれぞれに８ビットを割り当て、ＲＧＢのそれぞれについて、上位６ビットに映像データを割り当て、下位２ビットにＯＳＤ画像データを割り当てる。
【００２５】
そして、ＰＳ変換部２４は、映像データおよびＯＳＤ画像データから生成したＲＧＢ各８ビットのパラレルデータを、図２（ｂ）に示すようにシリアルデータに変換して表示装置３０へ出力する。
【００２６】
このように、ＰＳ変換部２４は、ＲＧＢ各８ビット、合計２４ビットのパラレルデータをシリアルデータに変換する。市販のパラレル−シリアル変換回路は、８ビット倍数の単位でデータを扱うものが多い。そのため、ナビゲーション装置２０は、ＰＳ変換部２４として、一般に市販されているパラレル−シリアル変換回路を用いることができ、コストを低く抑えることができる。
【００２７】
また、ＰＳ変換部２４は、８ビットの倍数のデータを扱うので、市販のパラレル−シリアル変換回路の全てのポートを使用することができ、パラレル−シリアル変換回路を効率よく使用することができる。そのため、余分なポートを有するパラレル−シリアル変換回路を用いる必要がなくなるため、ナビゲーション装置２０内でＰＳ変換部２４の部品が占めるスペースをより小さくすることができる。
【００２８】
なお、ＲＧＢデータの割り当ては上記した例に限られず、ＲＧＢ各８ビットについて、いずれかの６ビットに映像のＲＧＢデータが割り当てられ、残りの２ビットにＯＳＤ画像のＲＧＢデータが割り当てられていればよい。
【００２９】
表示装置３０は、ＳＰ変換部３１、切替部３２、および表示部３３を有する。ＳＰ変換部３１は、ナビゲーション装置２０から出力されたシリアルデータを２４ビットのパラレルデータに変換し、ＲＧＢ各８ビットにおいて、上位６ビットを映像のＲＧＢデータとして出力し、下位２ビットをＯＳＤ画像のＲＧＢデータとして出力する。また、ＳＰ変換部３１は、ナビゲーション装置２０から出力されたシリアルデータから、映像信号に含まれる同期信号を抽出して表示部３３に供給する。
【００３０】
切替部３２は、ＯＳＤ制御部２３から出力された切替信号がアクティブである場合に、ＯＳＤ画像のＲＧＢデータを表示部３３へ出力する。このとき、切替部３２は、例えば図３に示すように、ＲＧＢ各６ビットについて、ＳＰ変換部３１から出力されたＯＳＤ画像のＲＧＢデータを上位２ビットに割り当て、下位４ビット全てに０または１を割り当てる。
【００３１】
一方、切替信号が非アクティブである場合、切替部３２は、映像のＲＧＢデータを表示部３３へ出力する。
【００３２】
表示部３３は、切替部３２から出力されたＲＧＢデータを、画素毎に、ＳＰ変換部３１から供給された同期信号に同期して表示する。
【００３３】
以上、本発明の実施の形態について説明した。
【００３４】
上記説明から明らかなように、本発明のナビゲーションシステム１０によれば、ナビゲーション装置２０内の部品点数を減少させると共に、ナビゲーション装置２０内の部品が占めるスペースを少なくすることができる。
【００３５】
なお、本発明は上記の実施形態に限定されるものではなく、その要旨の範囲内で数々の変形が可能である。
【００３６】
例えば、上記した実施形態において、ＯＳＤ画像には、各２ビットのＲＧＢデータが割り当てられるが、他の形態として、ＯＳＤ画像に割り当てられる各２ビットのＲＧＢデータのいずれか１つの下位１ビットに、ＯＳＤ制御部２３によって生成される切替信号を割り当ててもよい。
【００３７】
これにより、ＯＳＤ画像に使用可能な色の種類が減少するものの、ＯＳＤ制御部２３から出力された切替信号を表示装置３０へ伝送するための専用の信号線を無くすことができる。従って、切替信号を出力するためのインターフェイス回路を無くすことができ、ナビゲーション装置２０内の部品点数をさらに減少させることができる。
【００３８】
また、ＯＳＤ制御部２３は、１色で構成されるＯＳＤ画像のＲＧＢデータを予め表示装置３０へ送信し、表示装置３０は、ＯＳＤ制御部２３から受け取ったＯＳＤ画像のＲＧＢデータを保持する。そして、ＯＳＤ制御部２３は、切替信号を、１ビットのデータとしてＰＳ変換部２４へ出力し、ＰＳ変換部２４は、映像データのＲＧＢ各６ビットと、ＯＳＤ制御部２３から出力される切替信号の１ビットとから構成される１９ビットのデータをシリアル信号に変換して表示装置３０へ出力する。
【００３９】
ＳＰ変換部３１は、１９ビットのシリアルデータを、ＲＧＢ各６ビットの映像データと、１ビットの切替信号に分解して切替部３２に供給する。切替部３２は、切替信号がアクティブである場合に、保持しているＯＳＤ画像のＲＧＢデータを表示部３３へ出力し、切替信号が非アクティブである場合に、映像のＲＧＢデータを表示部３３へ出力する。
【００４０】
このように、ＯＳＤ画像のＲＧＢデータを表示装置３０へ予め送信しておくことにより、ＰＳ変換部２４は、切替信号専用の信号線を無くすことができると共に、１色で構成されるＯＳＤ画像であれば、予めＲＧＢデータを送信しておくことにより任意の色（例えば約２６万色の中のいずれか１色）のＯＳＤ画像を表示することができる。
【図面の簡単な説明】
【００４１】
【図１】本発明の一実施形態に係るナビゲーションシステム１０の構成を示すシステム構成図である。
【図２】ＰＳ変換部２４によって実行されるパラレル−シリアル変換処理を説明するための概念図である。
【図３】切替部３２によって実行されるＯＳＤ画像の画素値の変換処理を説明するための概念図である。
【図４】従来のナビゲーションシステム７０の構成の一例を示すシステム構成図である。
【符号の説明】
【００４２】
１０・・・ナビゲーションシステム、２０・・・ナビゲーション装置、２１・・・描画ユニット、２２・・・ＳＰ変換部、２３・・・ＯＳＤ制御部、２４・・・ＰＳ変換部、３０・・・表示装置、３１・・・ＳＰ変換部、３２・・・切替部、３３・・・表示部、４０・・・Ｒデータ、４１・・・Ｇデータ、４２・・・Ｂデータ、４３・・・シリアルデータ、５０・・・Ｒデータ、５１・・・Ｇデータ、５２・・・Ｂデータ、７０・・・ナビゲーションシステム、７１・・・ナビゲーション装置、７２・・・描画ユニット、７３・・・ＳＰ変換部、７４・・・ＯＳＤ制御部、７５・・・切替部、７６・・・ＰＳ変換部、７７・・・表示装置、７８・・・ＳＰ変換部、７９・・・表示部
【図１】
2008089978.tif 000003
【図２】
2008089978.tif 000004
【図３】
2008089978.tif 000005
【図４】
2008089978.tif 000006